(57)【特許請求の範囲】
【請求項１】
ルーバーシステムにおいて、
一対の支持枠と、
一対の支持枠間に配置され、一対の支持枠により回転自在に保持された複数のルーバー羽根と、
一方の支持枠内に設けられ、各ルーバー羽根を回転自在に支持する軸受けと、
他方の支持枠内に設けられ、各ルーバー羽根を駆動する駆動歯車とを備え、
他方の支持枠内の長手方向には、回転自在の駆動シャフトが延在して設けられ、
駆動シャフトには各駆動歯車に対応して配置されるとともに、各駆動歯車を回転させる複数のウォームが設けられ、
各ルーバー羽根はその両端部に、隣接するルーバー羽根と係合する係合突起部と係合凹部とを各々有し、
各ルーバー羽根は、回転されて回転角度が０°となることで、前記係合突起部が隣接するルーバー羽根の前記係合凹部内に嵌め込まれて係合し、
ルーバー羽根は、係合突起部と係合凹部の間に、一対の凹部と、当該凹部間に設けられた凸部とを有し、
採光部が、凸部に設けられていることを特徴とするルーバーシステム。
【請求項２】
各ルーバー羽根は、ルーバー羽根本体と一対の取付軸とを有し、
一方の取付軸は、一方の支持枠に設けられた軸受けに支持された回転体に係合し、
他方の取付軸は、他方の支持枠に設けられた駆動歯車内に挿入されていることを特徴とする請求項１記載のルーバーシステム。
【請求項３】
各支持枠は固定部と分離部とに分離自在であり、
軸受けは、一方の支持枠の分離部側面に取り付けられ、
駆動歯車は、他方の支持枠の分離部側面に取り付けられていることを特徴とする請求項１または２のいずれかに記載のルーバーシステム。
【請求項４】
採光部が、半透明であることを特徴とする請求項１乃至３のいずれか１項に記載のルーバーシステム。
【請求項５】
採光部は、紫外線カット樹脂からなることを特徴とする請求項１乃至４のいずれか１項に記載のルーバーシステム。
【請求項６】
前記支持枠は、天井枠からなることを特徴とする請求項１乃至５のいずれか１項に記載のルーバーシステム。
【発明の詳細な説明】
【技術分野】
【０００１】
本発明は、回転自在な複数のルーバー羽根を有するルーバーシステムに関する。
【背景技術】
【０００２】
従来、室内を換気したり、室内に採光したり、プライバシーを守るために複数のルーバー羽根を有するルーバーシステムが用いられている。このようなルーバーシステムにおいて、各ルーバー羽根は完全に閉じた状態（０°）から完全に開いた状態（９０°）までの開閉が可能であり、完全に閉じた状態（０°）から完全に開いた状態（９０°）までの間であればルーバー羽根の角度を調整することができる。
【発明の開示】
【発明が解決しようとする課題】
【０００３】
しかしながら、従来のルーバーシステムにおいて、ルーバー羽根は９０°より大きな角度まで開けることができないため、あらゆる角度から十分に室内に採光することができず、また室内のプライバシーを確実に守りつつ採光することが十分ではなかった。
【０００４】
本発明は、このような点を考慮してなされたものであり、０°から１８０°まで確実に回転できるルーバー羽根を有し、これにより室内への採光を十分に行うことができ、かつプライバシー保護を確実に行うことができるルーバーシステムを提供することを目的とする。
【課題を解決するための手段】
【０００５】
本発明は、ルーバーシステムにおいて、一対の支持枠と、一対の支持枠間に配置され、一対の支持枠により回転自在に保持された複数のルーバー羽根と、一方の支持枠内に設けられ、各ルーバー羽根を回転自在に支持する軸受けと、他方の支持枠内に設けられ、各ルーバー羽根を駆動する駆動歯車とを備え、他方の支持枠内の長手方向には、回転自在の駆動シャフトが延在して設けられ、駆動シャフトには各駆動歯車に対応して配置されるとともに、各駆動歯車を回転させる複数のウォームが設けられていることを特徴とするルーバーシステムである。
【０００６】
本発明は、各ルーバー羽根は、ルーバー羽根本体と一対の取付軸とを有し、一方の取付軸は、一方の支持枠に設けられた軸受けに支持された回転体に係合し、他方の取付軸は、他方の支持枠に設けられた駆動歯車内に挿入されていることを特徴とするルーバーシステムである。
【０００７】
本発明は、各ルーバー羽根は、その回転角度が０°又は１８０°のとき、隣接するルーバー羽根と係合することを特徴とするルーバーシステムである。
【０００８】
本発明は、各ルーバー羽根はその両端部に、隣接するルーバー羽根と係合する係合突起部と係合凹部とを各々有することを特徴とするルーバーシステムである。
【０００９】
本発明は、各支持枠は固定部と分離部とに分離自在であり、軸受けは、一方の支持枠の分離部側面に取り付けられ、駆動歯車は、他方の支持枠の分離部側面に取り付けられていることを特徴とするルーバーシステムである。
【００１０】
本発明は、ルーバーシステムにおいて、一対の支持枠と、一対の支持枠間に配置され、一対の支持枠により回転自在に保持された複数のルーバー羽根とを備え、各ルーバー羽根はその両端部に、隣接するルーバー羽根と係合する係合突起部と係合凹部とを各々有することを特徴とするルーバーシステムである。
【００１１】
本発明は、ルーバー羽根は、半透明な採光部を有することを特徴とするルーバーシステムである。
【００１２】
本発明は、ルーバー羽根は、係合突起部と係合凹部との間に、半透明な採光部を有することを特徴とするルーバーシステムである。
【００１３】
本発明は、採光部は、紫外線カット樹脂からなることを特徴とするルーバーシステムである。
【００１４】
本発明は、ルーバー羽根は、係合突起部と係合凹部の間に、一対の凹部と、当該凹部間に設けられた凸部とを有することを特徴とするルーバーシステムである。
【００１５】
本発明は、採光部は、凸部に設けられていることを特徴とするルーバーシステムである。
【発明の効果】
【００１６】
本発明によれば、他方の支持枠内に設けられた駆動シャフトを回転させるだけで駆動シャフトのウォームによって各駆動歯車を回転させ、これによって各ルーバー羽根を０°から１８０°まで容易かつ確実に回転することができる。これにより、あらゆる角度から室内にルーバー羽根間を通して十分採光することができ、かつ室内のプライバシーを確実に守ることができる。
【発明を実施するための最良の形態】
【００１７】
以下、図面を参照して本発明の実施の形態について説明する。
【００１８】
第１の実施の形態
図１乃至図７は本発明によるルーバーシステム１００の第１の実施の形態を示す図である。
【００１９】
図１乃至図３に示すように、本実施の形態のルーバーシステム１００は、一対の支持枠１０ａ、１０ｂと、一対の支持枠１０ａ、１０ｂ間に配置され、一対の支持枠１０ａ、１０ｂにより回転自在に保持された複数のルーバー羽根２０と、一方の支持枠１０ａ内に設けられ、各ルーバー羽根２０を回転自在に支持する軸受け１１と、他方の支持枠１０ｂ内に設けられ、各ルーバー羽根２０を駆動する駆動歯車１２とを備えている。
【００２０】
図３に示すように、各ルーバー羽根２０は、ルーバー羽根本体２１と一対の取付軸２２ａ、２２ｂとを有している。このうち、一方の取付軸２２ａは、一方の支持枠１０ａに設けられた軸受け１１に回転自在に支持された回転体２３に係合し、他方の取付軸２２ｂは、他方の支持枠１０ｂに設けられた駆動歯車１２内に挿入されている。
【００２１】
また、図２及び図３に示すように、一方の支持枠１０ａは固定部３２ａと分離部３１ａとに分離自在になっており、他方の支持枠１０ｂは固定部３２ｂと分離部３１ｂとに分離自在になっている。このうち、各分離部３１ａ、３１ｂは対応する固定部３２ａ、３２ｂにビス３３ａ、３３ｂにより固定され、また、各固定部３２ａ、３２ｂはルーバーシステム１００が設置されている天井枠、あるいは窓枠などに固定されている。また、一方の支持枠１０ａの分離部３１ａのルーバー羽根２０側の内部側面には回転体２３を支持する軸受け１１が取り付けられ、他方の支持枠１０ｂの分離部３１ｂのルーバー羽根２０側の内部側面には駆動歯車１２が取り付けられている。
【００２２】
図２乃至図４に示すように、他方の支持枠１０ｂ内の長手方向には、回転自在の駆動シャフト１３が延在して設けられ、駆動シャフト１３には各駆動歯車（ウォームホイール）１２に対応して配置されるとともに、各駆動歯車１２に係合する複数のウォーム４２が設けられている。
【００２３】
図４及び図５（ａ）（ｂ）に示すように、駆動シャフト１３は、駆動シャフト１３を回転させるモータ（駆動部）５１に連結されている。このモータ５１は、制御部５０に連結されるとともに、制御部５０によりその駆動を制御されている。
【００２４】
次に、このような構成からなる本実施の形態の作用について述べる。
【００２５】
まず、ルーバー羽根２０の駆動方法について説明する。
【００２６】
制御部５０によりモータ５１を駆動させることによって、モータ５１に連結した駆動シャフト１３を回転させる。このことにより、駆動シャフト１３に設けられているウォーム４２を回転させて、ウォーム４２に係合している駆動歯車１２を回転させる（図４参照）。このことにより、駆動歯車１２に取り付けられたルーバー羽根２０の取付軸２２ｂを回転させて、この取付軸２２ｂに固定されているルーバー羽根本体２１を回転させる。この際、ルーバー羽根本体２１の反対側に設けられた取付軸２２ａは回転体２３により回転自在に保持されている（図３参照）。
【００２７】
ここで、駆動歯車１２は支持枠１０ｂに回転自在に取り付けられているので、駆動モータ５１によってウォーム４２を回転させることにより、ルーバー羽根２０の取り付けられた駆動歯車１２を自在に回転させることができる。このため、図６に示すように、ルーバー羽根２０を０°から１８０°まで自在に回転させることができる。
【００２８】
このようにルーバー羽根２０を０°から１８０°まで自在に回転させることができるので、ルーバー羽根２０を建築物の天井枠に設けた場合には、室内へ取り込む採光の量を自在に調整することができる。
【００２９】
また、ルーバー羽根２０を建築物の窓枠に設けた場合には、室内に入り込む風量や室内へ取り込む採光の量を自由に調整することができるとともに、室外から室内を見られないようにしてプライバシーを守ることもできる。
【００３０】
すなわち、例えば、図７（ａ）に示すようにルーバー羽根２０を配置させた場合には、室外から室内を見られないためプライバシーを保護することができるとともに、日光を室内に取り込むことができる。また、図７（ｂ）に示すようにルーバー羽根２０を配置させた場合には、室外から室内へ多くの風を取り込むことができる。
【００３１】
また、ルーバー羽根２０は、駆動シャフト１３を回転させることにより回転するので、図５（ａ）（ｂ）に示すように、支持枠１０間に複数配置された各ルーバー羽根２０を同時に開けたり（図５（ｂ）参照）、同時に閉めたり（図５（ａ）参照）することができる。
【００３２】
次に、ルーバー羽根２０と支持枠１０との関係について説明する。
【００３３】
図３に示すように、ルーバー羽根２０は、ルーバー羽根２０の一方の取付軸２２ａが一方の支持枠１０ａに設けられた回転体２３に挿入されるとともに、ルーバー羽根２０の他方の取付軸２２ｂが他方の支持枠１０ｂに設けられた駆動歯車１２内に挿入されることにより、支持枠１０に対し取り付けられている。
【００３４】
このため、ルーバー羽根２０は回転体２３と駆動歯車１２に容易に脱着することができるので、取付軸２２の形状を共通のものにしておけば、後述する方法により、ルーバー羽根本体２１を様々な形状のものに取り替えることができる。
【００３５】
ここで、図３を参照として、ルーバー羽根２０を別のルーバー羽根に取り変える方法について以下説明する。
【００３６】
まず、支持枠１０ａの固定部３２ａに分離部３１ａを固定しているビス３３ａを取り外す。同様にして、支持枠１０ｂの固定部３２ｂに分離部３１ｂを固定しているビス３３ｂを取り外す。
【００３７】
次に、複数のルーバー羽根２０の取り付けられた分離部３１ａ、３１ｂを対応する固定部３２ａ、３２ｂから引き離す。
【００３８】
次に、一方の分離部３１ａ側面に取り付けられた回転体２３からルーバー羽根２０の取付軸２２ａを取り外す。同様にして、他方の分離部３１ｂ側面に取り付けられた駆動歯車１２から、ルーバー羽根２０の取付軸２２ｂを取り外す。
【００３９】
次に、予め準備しておいた一対の取付軸を有する別のルーバー羽根の一方の取付軸を、分離部３１ａ側面に取り付けられた回転体２３に挿入し固定する。同様にして、一対の取付軸を有する複数の別のルーバー羽根の他方の取付軸を、分離部３１ｂ側面に取り付けられた駆動歯車１２に、挿入し固定する。
【００４０】
次に、新しいルーバー羽根の取り付けられた分離部３１ａを支持枠１０ａの固定部３２ａにビス３３ａを用いて固定する。同様にして、新しいルーバー羽根の取り付けられた分離部３１ｂを支持枠１０ｂの固定部３２ｂにビス３３ｂを用いて固定する。
【００４１】
上述のように、支持枠１０ａ、１０ｂを、固定部３２ａ、３２ｂと分離部３１ａ、３１ｂとに分離させた後、分離部３１ａ、３１ｂに取り付けられた複数のルーバー羽根２０を一気に取り替えることができる。このため、ルーバー羽根２０の取り替えを容易に行うことができる。
【００４２】
第２の実施の形態
次に図８乃至図１１により本発明の第２の実施の形態について説明する。図８乃至図１１に示す第２の実施の形態は、両端部に係合突起部２８ａと係合凹部２７ａとを有し、回転角度が０°又は１８０°のとき、この係合突起部２８ａ、係合凹部２７ａが、隣接するルーバー羽根２０ａの係合凹部２７ａ、係合突起部２８ａと各々係合するルーバー羽根２０ａを用いたものであり、他は図１乃至図７に示す第１の実施の形態と略同一である。
【００４３】
図８乃至図１１に示す第２の実施の形態において、図１乃至図７に示す第１の実施の形態と同一部分には同一符号を付して詳細な説明は省略する。
【００４４】
本実施の形態のルーバー羽根２０ａは、第１の実施の形態と同様、０°から１８０°まで自在に回転することができる（図１０参照）。このため、ルーバー羽根２０ａは、図９（ａ）に示すような閉状態や図９（ｂ）に示すような開状態を自由にとることができる。
【００４５】
また、ルーバー羽根２０ａは、両端部に、隣接するルーバー羽根２０ａと係合する係合突起部２８ａと係合凹部２７ａとを有している。すなわち、その回転角度が０°又は１８０°のとき、ルーバー羽根２０ａの係合突起部２８ａは、隣接するルーバー羽根２０ａの係合凹部２７ａと係合し、ルーバー羽根２０ａの係合凹部２７ａは、隣接するルーバー羽根２０ａの係合突起部２８ａと係合する。このため、図９（ａ）に示すような閉状態では、各ルーバー羽根２０は隣接するルーバー羽根２０と間隙を設けることなく配置され、室内と室外とを完全に遮断することができるので、雨などが室内へ進入することを防ぐことができる。このため、本実施の形態に係わるルーバー羽根２０ａは、建築物の天井枠に用いることが好ましい。
【００４６】
また、図８乃至図１０に示すように、ルーバー羽根２０ａは中央部に取付軸２２ａ、２２ｂに沿って形成された凸部２５と、凸部２５の両側に形成された凹部２６とを有している。このため、ルーバー羽根２０ａを建築物の天井枠に用いた場合であって、ルーバー羽根２０ａの係合突起部２８ａが隣接するルーバー羽根２０ａの係合凹部２７ａと係合し、ルーバー羽根２０ａの係合凹部２７ａが隣接するルーバー羽根２０ａの係合突起部２８ａと係合するときには、雨水はルーバー羽根２０ａの凹部２６を流れて排水される。このため、隣接するルーバー羽根２０ａの間から雨水が室内に漏れることを防止することができる。
【００４７】
図１１は、第２の実施の形態のルーバー羽根２０ａの変形例を示したものである。
【００４８】
図１１に示すように平坦状のルーバー羽根２０ｂを用いてもよい。このように、平坦状のルーバー羽根２０ｂを用いることにより、閉状態においてルーバー羽根２０ｂの表面２９を平らな平面状に並べることができる。このため、ルーバー羽根２０ｂの表面２９に絵柄や広告等を容易に設けることができる。
【００４９】
また、ルーバー羽根２０ｂを建築部分の天井枠に用いる場合には、雨水が室内に漏れないように、係合突起部２８ｂ表面にゴムパッキンなど（図示せず）を設けることが好ましい。
【００５０】
なお、本実施の形態は、両端部に係合突起部２８ａ、２８ｂと係合凹部２７ａ、２７ｂとを有し、回転角度が０°又は１８０°のとき、この係合突起部２８ａ、２８ｂ、係合凹部２７ａ、２７ｂが、隣接するルーバー羽根２０ａの係合凹部２７ａ、２７ｂ、係合突起部２８ａ、２８ｂと各々係合するルーバー羽根２０ａ、２０ｂを用いた構成を有し、他は第１の実施の形態と同様の構成をしている。このため、上述した第１の実施の形態と同様の効果を得ることができる。
【００５１】
第３の実施の形態
次に図１２（ａ）（ｂ）により本発明の第３の実施の形態について説明する。図１２（ａ）（ｂ）に示す第３の実施の形態は、係合突起部２８ａ、２８ｂと係合凹部２７ａ、２７ｂとの間に、半透明であって紫外線カット樹脂からなる採光部６１が形成されたルーバー羽根２０ａ’、２０ｂ’を用いたものであり、他は図８乃至図１１に示す第２の実施の形態と略同一である。
【００５２】
図１２（ａ）（ｂ）に示す第３の実施の形態において、図８乃至図１１に示す第２の実施の形態と同一部分には同一符号を付して詳細な説明は省略する。
【００５３】
図１２（ａ）（ｂ）に示すように、ルーバー羽根２０ａ’、２０ｂ’は、係合突起部２８ａ、２８ｂと係合凹部２７ａ、２７ｂとの間に、半透明な採光部６１を有しており、この採光部６１は、紫外線カット樹脂からなっている。このため、図９（ａ）に示すような閉状態であっても、紫外線をカットしつつ、室外からの自然光を室内に取り込むことができる。
【００５４】
なお、本実施の形態は、係合突起部２８ａ、２８ｂと係合凹部２７ａ、２７ｂとの間に、半透明であって紫外線カット樹脂からなる採光部６１を有するルーバー羽根２０ａ’、２０ｂ’を用いた構成を有し、他は第２の実施の形態と同様の構成をしている。このため、上述した第２の実施の形態と同様の効果を得ることができる。
【００５５】
また、上記では、第２の実施の形態に示すルーバー羽根２０ａ、２０ｂのうち、係合突起部２８ａ、２８ｂと係合凹部２７ａ、２７ｂとの間に、半透明であって紫外線カット樹脂からなる採光部６１を設けたものを示したが、第１の実施の形態に示すルーバー羽根２０にも同様に、半透明であって紫外線カット樹脂からなる採光部６１を有するものを用いることができる。
【００５６】
第４の実施の形態
次に図１３により第４の実施の形態について説明する。図１３に示す第４の実施の形態は、係合突起部２８ａと係合凹部２７ａの間に、一対の凹部２６と、当該凹部２６間に設けられた凸部２５が形成され、この凸部２５に紫外線カット樹脂からなる採光部６１が設けられたルーバー羽根２０ｃを用いたものであり、他は図８乃至図１１に示す第２の実施の形態と略同一である。
【００５７】
図１３に示す第４の実施の形態において、図８乃至図１１に示す第２の実施の形態と同一部分には同一符号を付して詳細な説明は省略する。
【００５８】
図１３に示すように、ルーバー羽根２０ｃのうち、係合突起部２８ａと係合凹部２７ａの間に、一対の凹２６部と、当該凹部２６間に設けられた凸部２５とが形成され、この凸部２５に紫外線カット樹脂からなる採光部６１が設けられている。このため、図９（ａ）に示すような閉状態であっても、紫外線をカットしつつ、室外からの自然光を室内に取り込むことができる。
【００５９】
また、雨などが降った場合には、雨水などは凹部２６内に溜まって排水されるので、凸部２５に設けられた採光部６１上に溜まることない。このため、雨などによって採光部６１に過度の負荷がかかることがないため、採光部６１が破損することを防止することができる。
【００６０】
なお、本実施の形態は、係合突起部２８ａと係合凹部２７ａの間に、一対の凹部２６と、当該凹部２６間に設けられた凸部２５とを有し、この凸部２５に紫外線カット樹脂からなる採光部６１が設けられたルーバー羽根２０ｃを用いた構成を有し、他は第２の実施の形態と同様の構成をしている。このため、上述した第２の実施の形態と同様の効果を得ることができる。
【図面の簡単な説明】
【００６１】
【図１】本発明の第１の実施の形態におけるルーバーシステムの全体を示す斜視図。
【図２】本発明の第１の実施の形態におけるルーバーシステムの一部を示す斜視図。
【図３】図２の３−３に沿って切断した本発明の第１の実施の形態におけるルーバーシステムの断面図。
【図４】本発明のルーバーシステムにおける駆動機構を示す概略側面図。
【図５】本発明のルーバーシステムにおける制御機構を示す概略側面図。
【図６】本発明の第１の実施の形態におけるルーバー羽根の開閉状態を示す概略側面図。
【図７】本発明の第１の実施の形態における用途毎のルーバー羽根の傾きを示す概略側面図。
【図８】本発明の第２の実施の形態におけるルーバー羽根を示す斜視図。
【図９】本発明の第２の実施の形態におけるルーバーシステムの開閉状態を示す斜視図。
【図１０】図９の１０’―１０’に沿って切断した本発明の第２の実施の形態におけるルーバーシステムの断面図。
【図１１】本発明の第２の実施の形態におけるルーバー羽根の変形例を示す斜視図。
【図１２】本発明の第３の実施の形態におけるルーバー羽根を示す斜視図。
【図１３】本発明の第４の実施の形態におけるルーバー羽根を示す斜視図。
【符号の説明】
【００６２】
１０ａ、１０ｂ    支持枠
１１    軸受け
１２    駆動歯車
１３    駆動シャフト
２０、２０ａ、２０ｂ、２０ａ’、２０ｂ’    ルーバー羽根
２１、２１ａ、２１ｂ    ルーバー羽根本体
２２ａ、２２ｂ    取付軸
２３    回転体
２５    凸部
２６    凹部
２７ａ、２７ｂ    係合凹部
２８ａ、２８ｂ    係合突起部
２９    表面
３１    分離部
３２    固定部
３３ａ、３３ｂ    ビス
４２    ウォーム
５０    制御部
５１    モータ
６１    採光部
１００    ルーバーシステム
【図１】
0004440191.tif 000002
【図２】
0004440191.tif 000003
【図３】
0004440191.tif 000004
【図４】
0004440191.tif 000005
【図５】
0004440191.tif 000006
【図６】
0004440191.tif 000007
【図７】
0004440191.tif 000008
【図８】
0004440191.tif 000009
【図９】
0004440191.tif 000010
【図１０】
0004440191.tif 000011
【図１１】
0004440191.tif 000012
【図１２】
0004440191.tif 000013
【図１３】
0004440191.tif 000014